(57)【要約】【課題】従来技術に比較して簡単な方法でより確実にＩＰ網を介してファクシミリ受信することができる。【解決手段】ファクシミリ通信手順信号を用いてファクシミリ通信するファクシミリ装置において、主制御部１は、ファクシミリのＶ．８モードのＡＮＳａｍ信号を送出した後（図３のステップＳ２）、所定の規定時間（例えば、３秒間）以内にＣＭ信号を検出しないとき（ステップＳ３でＮＯかつステップＳ５でＹＥＳ）、ＤＩＳ信号を送出し（ステップＳ６）にＤＩＳ信号を受信したとき（ステップＳ７でＹＥＳかつステップＳ１０でＹＥＳ）、所定の規定時間（例えば、５００ミリ秒である。）待機した後、ＤＩＳ信号を再送出する（ステップＳ６）。【選択図】図３
2006050068.tif 000002
【特許請求の範囲】
【請求項１】
ファクシミリ通信手順信号を用いてファクシミリ通信する通信端末装置において、
ＤＩＳ信号を送出したときにＤＩＳ信号を受信したとき、所定の第１の規定時間待機した後、ＤＩＳ信号を再送出する制御手段を備えたことを特徴とする通信端末装置。
【請求項２】
上記制御手段は、ファクシミリのＶ．８モードのＡＮＳａｍ信号を送出した後、所定の第２の規定時間以内にＣＭ信号を検出しないとき、上記ＤＩＳ信号を送出することを特徴とする請求項１記載の通信端末装置。
【請求項３】
ファクシミリ通信手順信号を用いてファクシミリ通信する通信方法において、
ＤＩＳ信号を送出したときにＤＩＳ信号を受信したとき、所定の第１の規定時間待機した後、ＤＩＳ信号を再送出する制御ステップを含むことを特徴とする通信方法。
【請求項４】
上記制御ステップは、ファクシミリのＶ．８モードのＡＮＳａｍ信号を送出した後、所定の第２の規定時間以内にＣＭ信号を検出しないとき、上記ＤＩＳ信号を送出することを特徴とする請求項３記載の通信方法。
【発明の詳細な説明】
【技術分野】
【０００１】
本発明は、例えばファクシミリ装置などの通信端末装置及び通信方法に関する。
【背景技術】
【０００２】
昨今、例えばインターネットなどのインターネットプロトコルを用いて通信を行うネットワーク（以下、ＩＰ網という。）を介してインターネットプロトコル電話（以下、ＩＰ電話という。）やＩＰ電話の回線を介したファクシミリ通信が普及始めている。ここで、ＩＰ電話やＩＰ電話の回線を介したファクシミリ通信では、ファクシミリ信号のエコーが発生して通信トラブルが発生している。
【０００３】
例えば、人工衛星ルートを介する通信におけるエコー対策のためのファクシミリ装置が特許文献１において開示されている。この従来例では、宛先毎に伝送路上の人工衛星ルートを自動的に判別し、判別した伝送路毎にエコーの影響を測定して補正条件を格納し、その測定した宛先へのファクシミリ通信に際して補正条件を自動設定してエコー対策を実行することを目的としている。具体的には、操作部から送信宛先ファクシミリ端末の電話番号が入力されると、ＣＰＵは、入力された電話番号を解析して伝送路上に人工衛星ルートが設定された相手先かどうかとエコー対策が必要かどうかを判別する。エコー対策が必要ないときは、従来通りのＣＣＩＴＴ勧告のＴ．３０に基づくＧ３通信プロトコルによる送信処理を実行し、エコー対策が必要なときは、ＲＡＭに書き込まれた当該宛先地域の信号伝達遅延データを参照し、エコーの影響を補正する補正条件を加えてＴ．３０に基づくＧ３通信プロトコルによる送信処理を実行する。
【０００４】
【特許文献１】特開平５−０５６２４６号公報。
【発明の開示】
【発明が解決しようとする課題】
【０００５】
しかしながら、従来例の方法は、人工衛星ルートを介する通信におけるエコー対策であって、ＩＰ網を介する通信において適用することができない。特に、図２（ａ）に示すように、ＩＰ網経由でＶ．８モードの通信手順の機能を有していることを示す変形応答トーンであるＡＮＳａｍ信号（２１００Ｈｚの変調信号）が伝送されたとき、ゲートウェイ装置のエコーサプレッサがオフとなり、ＤＩＳ信号のエコーが受信側のファクシミリ装置に戻ってくるという問題点があった。
【０００６】
本発明の目的は以上の問題点を解決し、従来技術に比較して簡単な方法でより確実にＩＰ網を介してファクシミリ受信することができるファクシミリ装置などの通信端末装置及び通信方法を提供することにある。
【課題を解決するための手段】
【０００７】
本発明に係る通信端末装置は、ファクシミリ通信手順信号を用いてファクシミリ通信する通信端末装置において、
ＤＩＳ信号を送出したときにＤＩＳ信号を受信したとき、所定の第１の規定時間待機した後、ＤＩＳ信号を再送出する制御手段を備えたことを特徴とする。
【０００８】
上記通信端末装置において、上記制御手段は、ファクシミリのＶ．８モードのＡＮＳａｍ信号を送出した後、所定の第２の規定時間以内にＣＭ信号を検出しないとき、上記ＤＩＳ信号を送出することを特徴とする。
【０００９】
また、本発明に係る通信方法は、ファクシミリ通信手順信号を用いてファクシミリ通信する通信方法において、
ＤＩＳ信号を送出したときにＤＩＳ信号を受信したとき、所定の第１の規定時間待機した後、ＤＩＳ信号を再送出する制御ステップを含むことを特徴とする。
【００１０】
上記通信方法において、上記制御ステップは、ファクシミリのＶ．８モードのＡＮＳａｍ信号を送出した後、所定の第２の規定時間以内にＣＭ信号を検出しないとき、上記ＤＩＳ信号を送出することを特徴とする。
【発明の効果】
【００１１】
従って、本発明に係る通信端末装置及び通信方法によれば、ファクシミリ通信手順信号を用いてファクシミリ通信する通信端末装置において、ＤＩＳ信号を送出したときにＤＩＳ信号を受信したとき、所定の第１の規定時間待機した後、ＤＩＳ信号を再送出する。ここで、ファクシミリのＶ．８モードのＡＮＳａｍ信号を送出した後、所定の第２の規定時間以内にＣＭ信号を検出しないとき、上記ＤＩＳ信号を送出する。従って、図２（ｂ）に示すように、ＤＩＳ信号の送出に対してＤＩＳ信号のエコーを受信するが、このとき、所定の期間待機するので、ゲートウェイ装置のエコーサプレッサがオンとなるので、その後、ＤＩＳ信号のエコーは発生せず、ファクシミリ信号の正常な通信手順を実行できる。これにより、ＩＰ網経由のファクシミリ通信であるとき、上述のＩＰ網対策処理を実行するので、従来技術に比較して簡単な方法でより確実にＩＰ網を介してファクシミリ受信できる。
【発明を実施するための最良の形態】
【００１２】
以下、本発明に係る実施形態について図面を参照して説明する。
【００１３】
図１は、本発明に係る実施形態である、ＩＰ網対策機能を有するファクシミリ装置２０の構成を示すブロック図である。この実施形態のファクシミリ装置２０は、ファクシミリ通信手順信号を用いてファクシミリ通信する通信端末装置であり、主制御部１は、ファクシミリのＶ．８モードのＡＮＳａｍ信号を送出した後（図３のステップＳ２）、所定の規定時間（例えば、３秒間）以内にＣＭ信号を検出しないとき（ステップＳ３でＮＯかつステップＳ５でＹＥＳ）、ＤＩＳ信号を送出し（ステップＳ６）にＤＩＳ信号を受信したとき（ステップＳ７でＹＥＳかつステップＳ１０でＹＥＳ）、所定の規定時間（例えば、５００ミリ秒であり、５００ミリ秒以上３秒以内であってもよい。）待機した後、ＤＩＳ信号を再送出する（ステップＳ６）ことを特徴とする。
【００１４】
図１において、ファクシミリ装置２０は、従来のＧ３方式等のファクシミリ通信機能を備えるとともに、ＩＰ網対策機能を備えている。主制御部１は具体的にはＣＰＵで構成されており、バス１３を介して以下のハードウェア各部と接続されていてそれらを制御するほか、後述する種々のソフトウェアの機能を実行する。画像読取部２は、ＣＣＤ等を利用したスキャナで原稿を読み取り、白黒２値に変換したドットイメージデータを出力する。画像記録部３は電子写真方式等のプリンタ装置であり、他のファクシミリ装置からファクシミリ通信により受信したイメージデータをハードコピーとしてプリントアウトして記録する。表示部４は、液晶表示装置（ＬＣＤ）又はＣＲＴディスプレイ等の表示装置であり、当該ファクシミリ装置２０の動作状態を表示したり、送信すべき原稿のイメージデータ、及び受信したイメージデータの表示を行う。
【００１５】
操作部５は、当該ファクシミリ装置２０を操作するために必要な文字キー、ダイヤル用テンキー、短縮ダイヤルキー、ワンタッチダイヤルキー、及び各種のファンクションキー等を備える。なお、上述の表示部４をタッチパネル方式とすることにより、この操作部５の各種キーの内の一部又は全部を代用するように構成してもよい。
【００１６】
ＲＯＭ６は、当該ファクシミリ装置２０の動作に必要であって主制御部１によって実行される種々のソフトウェアのプログラムを予め格納し、ここで、当該プログラムは、少なくとも図３のファクシミリ受信処理のプログラムを含む。ＲＡＭ７は、ＳＲＡＭ又はフラッシュメモリ等で構成され、主制御部１のワーキングエリアとして使用されてプログラムの実行時に発生する一時的なデータを記憶する。なお、ＲＡＭ７としてフラッシュメモリを使用した場合には、停電、装置の移動等のために電源が遮断された場合にもそのデータの内容が失われない。画像メモリ８はＤＲＡＭ等で構成され、送信すべきイメージデータ又は受信したイメージデータを記憶する。なお、ＲＡＭ７及び画像メモリ８をハードディスクメモリで構成してもよい。
【００１７】
ファックスモデム１０は、公衆電話回線Ｌに接続され、通常のファクシミリ通信用のファックスモデムの機能を有するモデムであり、ＦＳＫ信号として受信される発信電話番号情報のデータを復調して主制御部１に出力する。ＮＣＵ（ネットワーク制御回路：Network Control Unit）１１はアナログの公衆電話回線Ｌの直流ループなどの閉結及び開放の動作を行いかつ自動ダイヤル機能を有するハードウェア回路であり、必要に応じてファックスモデム１０を公衆電話回線Ｌに接続する。ここで、ＮＣＵ１１は、発信電話番号通知サービスにおけるＩＤ受信端末起動信号、通常の電話呼出信号の検出を行うとともに、必要に応じて発信電話番号通知サービスにおける１次応答信号及び２次応答信号を発信することができる。なお、ＮＣＵ１１を所定のターミナルアダプタ及びＤＳＵ（加入者線終端装置：Digital Service Unit）を介して、ベースバンド伝送方式のデジタル回線（例えば、ＩＳＤＮ回線）に接続するようにしてもよい。
【００１８】
以上のように構成された本実施形態のファクシミリ装置２０は、通常のＧ３方式等のファクシミリ通信機能に加えて、ＩＰ網対策機能を有している。ファクシミリ通信機能において、画像読取部２により読み取られたドットイメージデータはファクシミリ通信の規格で定められているＭＨ，ＭＲ，ＭＭＲ等の符号化方式に従ってソフトウェアにより符号化された後、相手先のファクシミリ装置に送信される一方、逆に相手先のファクシミリ装置から受信した符号化データもソフトウェアによりイメージデータに復号化されて画像記録部３からハードコピーとして出力される。なお、画像メモリ８はイメージデータを必要に応じて記憶し、また逆に記憶しているイメージデータを必要に応じて出力する。
【００１９】
さらに、高速でファクシミリ通信などのデータ通信が可能なＶ．３４モード及びＶ．８モードの通信手順について説明する。ファクシミリ装置などの通信端末装置でデータ通信を行う場合には半二重方式の例えばＩＴＵ−Ｔの勧告Ｖ．１７モードの通信手順等に準拠した変復調装置を使用し、Ｇ３規格のファクシミリ通信手順でもある同勧告Ｔ．３０に規定されている手順に従って行う。また、同勧告Ｖ．３４に準拠した最大伝送速度が３３．６ｋｂｐｓの超高速の通信手順（以下、Ｖ．３４モードの通信手順という。）も実用化されており、このＶ．３４モードの通信手順では通信の開始時点及び通信実行中において、受信側でその時点の回線状況、具体的にはＳ／Ｎ（信号対雑音電力比）、帯域幅に応じて通信速度を指定することが可能であり，送信側ではそのようにして受信側で指定された通信速度で送信を行うように通信速度を変更する。なお、Ｖ．３４モードの通信手順でデータ通信を行う場合には同じく同勧告Ｖ．８通信手順で前手順を行って実際の通信速度を決定する。
【００２０】
図３は図１の主制御部１により実行されるファクシミリ受信処理を示すフローチャートである。
【００２１】
図３のステップＳ１において、まず、着呼したか否かが判断され、ＹＥＳとなるまでステップＳ１の処理を繰り返し、ＹＥＳとなったとき、ステップＳ２においてＶ．８モードの通信手順の機能を有していることを示す変形応答トーンであるＡＮＳａｍ信号を送出し、ステップＳ３において、送信側装置の自身のモデム能力を示す起呼メニュー信号であるＣＭ信号を検出したか否かが判断され、ＹＥＳのときはステップＳ４に進む一方、ＮＯのときはステップＳ５に進む。ステップＳ４では、Ｖ．８モードのファクシミリ受信処理を実行し、ステップＳ１７では回線開放して当該ファクシミリ受信処理を終了する。
【００２２】
一方、ステップＳ５において３秒経過したか否かが判断され、ＹＥＳのときはステップＳ６に進む一方、ＮＯのときはステップＳ２に戻る。ステップＳ６では、ＤＩＳ信号を送出し、ステップＳ７において応答信号を受信したか否かが判断され、ＹＥＳのときはステップＳ１０に進む一方、ＮＯのときはステップＳ８に進む。ステップＳ８において、３５秒のＴ１タイマがタイムアップしたか否かが判断され、ＹＥＳのときはステップＳ９に進む一方、ＮＯのときはステップＳ６に戻る。ステップＳ９では、ＤＣＮ信号を送出した後、ステップＳ１７で回線開放して当該ファクシミリ受信処理を終了する。
【００２３】
次いで、ステップＳ１０においてＤＩＳ信号を検出したか否かが判断され、ＹＥＳのときはステップＳ１１に進み５００ミリ秒間（この規定時間は、ゲートウェイ装置のエコーサプレッサがオフからオンとなる時間である。）待機した後、ステップＳ６に戻る。また、ステップＳ１０でＮＯのときはステップＳ１２に進み、ステップＳ１２においてＤＣＳ信号を検出したか否かが判断され、ＹＥＳのときはステップＳ１３に進む一方、ＮＯのときはステップＳ８に進む。ステップＳ１３では、トレーニングＯＫか否かが判断され、ＹＥＳのときはステップＳ１５に進む一方、ＮＯのときはステップＳ１４に進む。ステップＳ１４では、ＦＴＴ信号を送出した後、ステップＳ７に戻る。一方、ステップＳ１５においてＣＦＲ信号を送出し、ステップＳ１６において画像データ受信処理を実行し、ステップＳ１７において回線開放した後、当該ファクシミリ受信処理を終了する。
【００２４】
図２（ａ）は従来例のファクシミリ信号手順を示すタイミングチャートであり、図２（ｂ）は実施形態に係るファクシミリ信号手順を示すタイミングチャートである。図２（ａ）に示すように、ＩＰ網経由でＶ．８モードの通信手順の機能を有していることを示す変形応答トーンであるＡＮＳａｍ信号（２１００Ｈｚの変調信号）が伝送されたとき、ゲートウェイ装置のエコーサプレッサがオフとなり、ＤＩＳ信号のエコーが受信側のファクシミリ装置に戻ってくる。一方、図２（ｂ）の実施形態では、ＤＩＳ信号の送出に対してＤＩＳ信号のエコーを受信するが、このとき、５００秒間待機するので、ゲートウェイ装置のエコーサプレッサがオンとなるので、その後、ＤＩＳ信号のエコーは発生せず、ファクシミリ信号の正常な通信手順を実行できる。
【００２５】
以上説明したように、本実施形態によれば、主制御部１は、ファクシミリのＶ．８モードのＡＮＳａｍ信号を送出した後（図３のステップＳ２）、所定の規定時間（例えば、３秒間）以内にＣＭ信号を検出しないとき（ステップＳ３でＮＯかつステップＳ５でＹＥＳ）、ＤＩＳ信号を送出し（ステップＳ６）にＤＩＳ信号を受信したとき（ステップＳ７でＹＥＳかつステップＳ１０でＹＥＳ）、所定の規定時間（例えば、５００ミリ秒である。）待機した後、ＤＩＳ信号を再送出する（ステップＳ６）。従って、図２（ｂ）に示すように、ＤＩＳ信号の送出に対してＤＩＳ信号のエコーを受信するが、このとき、５００秒間待機するので、ゲートウェイ装置のエコーサプレッサがオンとなるので、その後、ＤＩＳ信号のエコーは発生せず、ファクシミリ信号の正常な通信手順を実行できる。
【００２６】
＜変形例＞
以上の実施形態においては、ファクシミリ装置２０の例について述べているが、本発明はこれに限らず、公衆電話網又は公衆デジタル回線網などの公衆網に接続された、例えば電話機、データ通信装置などを含む通信端末装置に適用することができる。
【図面の簡単な説明】
【００２７】
【図１】本発明に係る実施形態である、ＩＰ網対策機能を有するファクシミリ装置２０の構成を示すブロック図である。
【図２】（ａ）は従来例のファクシミリ信号手順を示すタイミングチャートであり、（ｂ）は実施形態に係るファクシミリ信号手順を示すタイミングチャートである。
【図３】図１の主制御部１により実行されるファクシミリ受信処理を示すフローチャートである。
【符号の説明】
【００２８】
１…主制御部、
２…画像読取部、
３…画像記録部、
４…表示部、
５…操作部、
６…ＲＯＭ、
７…ＲＡＭ、
８…画像メモリ、
１０…ファックスモデム、
１１…ＮＣＵ、
１３…バス、
２０…ファクシミリ装置、
Ｌ…公衆電話回線。
【図１】
2006050068.tif 000003
【図２】
2006050068.tif 000004
【図３】
2006050068.tif 000005